【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
映像コンテンツの発信元と、当該発信元から発信された映像コンテンツを受信して再生する装置であるクライアントとを含むネットワークにおける映像コンテンツの通信履歴を示す情報を収集する収集手段と、
前記収集手段により収集された情報を記憶する記憶手段と、
前記記憶手段に記憶された前記情報に基づいて、前記映像コンテンツに対するアクセス権を設定する設定手段と、
を有することを特徴とする通信装置。
【請求項２】
前記情報は、少なくとも前記映像コンテンツの再生時刻、発信元、送信先、コンテンツを識別する情報及び前記クライアントを識別する情報のいずれかを含むことを特徴とする請求項１に記載の通信装置。
【請求項３】
前記発信元は、前記ネットワークに接続されたストレージ、撮像装置のいずれかであることを特徴とする請求項１又は２に記載の通信装置。
【請求項４】
前記通信装置は、有線ネットワークの集線装置、無線ネットワークのアクセスポイント装置のいずれかを含むことを特徴とする請求項１乃至３のいずれか１項に記載の通信装置。
【請求項５】
前記設定手段は、ユーザのアクセス権を設定することを特徴とする請求項１乃至４のいずれか１項に記載の通信装置。
【請求項６】
前記設定手段は、映像コンテンツを公開する際の手順を設定することを特徴とする請求項１乃至４のいずれか１項に記載の通信装置。
【請求項７】
前記設定手段は、映像配信におけるＱｏＳ制御に関する条件を設定することを特徴とする請求項１乃至６のいずれか１項に記載の通信装置。
【請求項８】
映像コンテンツの発信元と、当該発信元から発信された映像コンテンツを受信して再生する装置であるクライアントとを含むネットワークに接続された通信装置の制御方法であって、
前記ネットワークにおける映像コンテンツの通信履歴を示す情報を収集する収集工程と、
前記収集工程で収集された情報を記憶する記憶工程と、
前記記憶工程で記憶された前記情報に基づいて、前記映像コンテンツに対するアクセス権を設定する設定工程と、
を有することを特徴とする通信装置の制御方法。
【請求項９】
前記情報は、少なくとも前記映像コンテンツの再生時刻、発信元、送信先、コンテンツを識別するための情報及び前記クライアントを識別するための情報のいずれかを含むことを特徴とする請求項８に記載の通信装置の制御方法。
【請求項１０】
前記設定工程は、ユーザのアクセス権を設定することを特徴とする請求項８又は９に記載の通信装置の制御方法。
【請求項１１】
前記設定工程は、映像コンテンツを公開する際の手順を設定することを特徴とする請求項８又は９に記載の通信装置の制御方法。
【請求項１２】
前記設定工程では、映像配信におけるＱｏＳ制御に関する条件を設定することを特徴とする請求項８又は９に記載の通信装置の制御方法。
【請求項１３】
請求項８乃至１２のいずれか１項に記載の制御方法をコンピュータに実行させるためのプログラム。
【手続補正２】
【補正対象書類名】明細書
【補正対象項目名】０００７
【補正方法】変更
【補正の内容】
【０００７】
上記目的を達成するために本発明の一態様に係る通信装置は以下のような構成を備える。即ち、
映像コンテンツの発信元と、当該発信元から発信された映像コンテンツを受信して再生する装置であるクライアントとを含むネットワークにおける映像コンテンツの通信履歴を示す情報を収集する収集手段と、
前記収集手段により収集された情報を記憶する記憶手段と、
前記記憶手段に記憶された前記情報に基づいて、前記映像コンテンツに対するアクセス権を設定する設定手段と、
を有することを特徴とする。
【手続補正３】
【補正対象書類名】明細書
【補正対象項目名】０００８
【補正方法】変更
【補正の内容】
【０００８】
上記目的を達成するために本発明の一態様に係る通信装置の制御方法は以下のような工程を備える。即ち、
映像コンテンツの発信元と、当該発信元から発信された映像コンテンツを受信して再生する装置であるクライアントとを含むネットワークに接続された通信装置の制御方法であって、
前記ネットワークにおける映像コンテンツの通信履歴を示す情報を収集する収集工程と、
前記収集工程で収集された情報を記憶する記憶工程と、
前記記憶工程で記憶された前記情報に基づいて、前記映像コンテンツに対するアクセス権を設定する設定工程と、
を有することを特徴とする。
【手続補正４】
【補正対象書類名】明細書
【補正対象項目名】０００９
【補正方法】変更
【補正の内容】
【０００９】
本発明によれば、映像コンテンツの通信状況や通信履歴をアクセス権の制御に反映させることにより、例えば個人が管理するコンテンツの面倒なプライバシの保護設定を自動化して手間を軽減できるという効果がある。
【手続補正５】
【補正対象書類名】明細書
【補正対象項目名】００４２
【補正方法】変更
【補正の内容】
【００４２】
映像配信サーバプログラム５０２は、まずステップＳ４１で、映像配信サーバプログラム５０２の動作設定情報を読み出し、それに基づき動作を開始する。ここで、映像の獲得とエンコードを行うスレッドを（生成時点では休止状態で）生成する。続いてステップＳ４２に進み、リクエスト受付状態に入り、クライアントである操作端末１０２からのリクエストを待つ。ここでリクエスト（映像配信リクエスト、エンコードパラメータ変更、或はブラウジング等のコマンドリクエスト）が受け付けられるとステップＳ４３に進む。そして接続リクエストならばステップＳ４４で接続の可否の判定を行う。否ならば接続拒否のエラーコードを返してステップＳ４２に戻る。接続可であればステップＳ４５に進み、接続処理としてクライアントからのコマンドの受付処理を行うスレッドを生成する。そして、そのクライアントを登録し、もし映像の獲得とエンコードを行うスレッドが休止状態ならば動作開始を指示してからステップＳ４２に戻る。
【手続補正６】
【補正対象書類名】明細書
【補正対象項目名】００４８
【補正方法】変更
【補正の内容】
【００４８】
尚、操作コマンドの扱いにおいては、具体的な操作コマンドの発行の前に、カメラ操作権の割り当て要求を必要とすることも可能である。これは複数の人間がカメラの操作を要求するような状況での混乱をなくす効果がある。この場合、まずクライアントからは、カメラ操作権獲得の要求コマンドが発行される。これに対してカメラ制御サーバプログラム５０１は、現在のカメラ制御権の割り当て状態から、その要求に対して、拒絶、割り当て、順番待ちのいずれかを選択して、そのクライアントへ返答する。このカメラ制御権は、前もって定められた特定の時間、或は、制御権を獲得しているクライアントが接続を終了するまでの短いほうの時間で剥奪されて、次の順番待ちの人に割り当てられる。順番待ち人数はやはり前もって定められた人数（例えば５人）に制限され、それ以上のリクエストは拒絶される。クライアントは、カメラ制御権が獲得されてから剥奪されるまでの間だけ操作コマンドを発行できる。カメラ制御サーバプログラム５０１は、カメラ制御権が付与されているクライアントからの操作コマンドのみを受け付ける。
【手続補正７】
【補正対象書類名】明細書
【補正対象項目名】００５０
【補正方法】変更
【補正の内容】
【００５０】
まずステップＳ８１で、通信制御サーバプログラム５０３及び通信履歴処理サーバプログラム５０４に関する設定情報を読み出す。この設定情報は、特定のファイル或はレジストリ等のシステムデータベースに保存されている。そして、その設定情報を内部データに設定する。そしてこれ以降、ユーザの操作入力を受け取り、内部データに反映する以下のループを繰り返す。即ち、ステップＳ８２で、ユーザの操作入力を待ち、入力があればそれを受け取る。次にステップＳ８３に進み、入力された値が適正範囲内であるか否か等の妥当性を判定し、適正でなければステップＳ８４に進みエラーメッセージを出力する。そして値を戻してステップＳ８２に戻り、次のユーザの入力待ちとなる。一方ステップＳ８３で適正範囲内であればステップＳ８５に進み、内部データを更新してステップＳ８２に戻る。
【手続補正８】
【補正対象書類名】明細書
【補正対象項目名】００５１
【補正方法】変更
【補正の内容】
【００５１】
またユーザからの入力がＯＫボタンの場合はステップＳ８６に進み、更新された内部データを通信制御サーバプログラム５０３及び通信履歴処理サーバプログラム５０４に関する設定情報を格納する特定のファイル等へ書き出す。次にステップＳ８７に進み、変更を反映するためにＡＰ１０４を再起動するかを尋ねる画面を表示する。ここで再起動が指示されるとステップＳ８８に進み、通信制御サーバプログラム５０３及び通信履歴処理サーバプログラム５０４を再起動する。次にステップＳ８９で、この設定プログラムを終了する。また再起動しない場合はステップＳ８７から直接ステップＳ８９に進んで終了する。またステップＳ８２でのユーザの入力がキャンセルボタンである場合はステップＳ８２から直接ステップＳ８９に進んで処理を終了する。
【手続補正９】
【補正対象書類名】明細書
【補正対象項目名】００５２
【補正方法】変更
【補正の内容】
【００５２】
尚、本実施の形態に係るＡＰ１０４の通信制御サーバプログラム５０３及び通信履歴処理サーバプログラム５０４に設定できる値には以下の項目がある。即ち、各ネットワークインターフェースのＩＰネットワーク設定（ＩＰアドレス、サブネットアドレス、サブネットマスク、ルーティングアドレス、マルチキャスト可否等）や帯域制限（ＱｏＳ設定含む）がある。また暗号鍵情報（IPv6の場合のIPsec設定、無線ＬＡＮのWEP設定等）、アプリケーション処理部のＳＮＭＰサーバ、ＡＰ設定サーバ、ＩＧＤサーバ等の各種設定がある。更には、動的フィルタリング設定の初期値、フィルタリングルール、通信履歴の最大保持期間と最大保持数などがある。